(57)【特許請求の範囲】
【請求項１】
横木部の両端にそれぞれ支柱部の一端が固定されている略「コ」の字形の外枠と、該外枠の横木部よりも短い寸法の横木部を有し当該横木部の両端にそれぞれ支柱部の一端が固定されている略「コ」の字形の内枠と、２本の支柱部材とからなり、
前記２本の支柱部材のそれぞれの一端の外側と、前記外枠の端部のそれぞれの内側との間には回動および係止可能な継手部が介装され、
前記２本の支柱部材のそれぞれの他端の内側と、前記内枠の端部のそれぞれの外側との間には回動および係止可能な継手部が介装され、
前記内枠を地上に載置した状態で４つの前記継手部を回動させて前記外枠の横木部を上方に移動させたときに、前記外枠の横木部の地上高を表わす表示が当該地上高と対応する前記継手部の回動位置に設けられていることを特徴とするハードル。
【請求項２】
横木部の両端にそれぞれ支柱部の一端が固定されている略「コ」の字形の外枠に、該外枠の横木部よりも短い寸法の横木部を有し当該横木部の両端にそれぞれ支柱部の一端が固定されている略「コ」の字形の内枠と、２本の支柱部材とからなり、
前記２本の支柱部材のそれぞれの一端の外側と、前記外枠の端部のそれぞれの内側との間には回動および係止可能な継手部が介装され、
前記２本の支柱部材のそれぞれの他端の内側と、前記内枠の端部のそれぞれの外側との間には回動および係止可能な継手部が介装され、
前記外枠を地上に載置した状態で４つの前記継手部を回動させて前記内枠の横木部を上方に移動させたときに、前記内枠の横木部の地上高を表わす表示が当該地上高と対応する前記継手部の回動位置に設けられていることを特徴とするハードル。
【発明の詳細な説明】
【０００１】
【発明の属する技術分野】
本発明は、収納スペースが狭く、かつ使用時においてはハードルの高さを容易に設定することができるハードルに関するものである。
【０００２】
【従来の技術】
現在広く用いられているハードルは、地上に載置される台座部に垂直方向に延在する支柱部を設け、この支柱部によって横木部を支持する構成となっている。このような従来のハードルを使用するときには、支柱部の長さを調整して地上から横木部までの高さ（ハードルの高さ）を設定している。
【０００３】
そして、従来のハードルを収納するときには、収納スペースを節約するために支柱部を最も短くした状態で倉庫等に収納している。
【０００４】
【発明が解決しようとする課題】
しかしながら、このような従来のハードルを収納する場合には、支柱部を最も短くした状態でも、横木部と台座部の端部とを結ぶ直線を斜辺とする直角三角形の部分がデッドスペースになってしまうという問題があった。
【０００５】
本発明の目的は、収納スペースを従来に比して狭くすることができるとともに、使用時においては極めて容易にハードルの高さを設定することができるハードルを提供することにある。
【０００６】
【課題を解決するための手段】
以上の目的を達成するために、請求項１に記載の発明は、横木部の両端にそれぞれ支柱部の一端が固定されている略「コ」の字形の外枠と、該外枠の横木部よりも短い寸法の横木部を有し当該横木部の両端にそれぞれ支柱部の一端が固定されている略「コ」の字形の内枠と、２本の支柱部材とからなり、前記２本の支柱部材のそれぞれの一端の外側と、前記外枠の端部のそれぞれの内側との間には回動および係止可能な継手部が介装され、前記２本の支柱部材のそれぞれの他端の内側と、前記内枠の端部のそれぞれの外側との間には回動および係止可能な継手部が介装され、前記内枠を地上に載置した状態で４つの前記継手部を回動させて前記外枠の横木部を上方に移動させたときに、前記外枠の横木部の地上高を表わす表示が当該地上高と対応する前記継手部の回動位置に設けられていることを特徴とするものである。
【０００７】
また、以上の目的を達成するために、請求項２に記載の発明は、横木部の両端にそれぞれ支柱部の一端が固定されている略「コ」の字形の外枠に、該外枠の横木部よりも短い寸法の横木部を有し当該横木部の両端にそれぞれ支柱部の一端が固定されている略「コ」の字形の内枠と、２本の支柱部材とからなり、前記２本の支柱部材のそれぞれの一端の外側と、前記外枠の端部のそれぞれの内側との間には回動および係止可能な継手部が介装され、前記２本の支柱部材のそれぞれの他端の内側と、前記内枠の端部のそれぞれの外側との間には回動および係止可能な継手部が介装され、前記外枠を地上に載置した状態で４つの前記継手部を回動させて前記内枠の横木部を上方に移動させたときに、前記内枠の横木部の地上高を表わす表示が当該地上高と対応する前記継手部の回動位置に設けられていることを特徴とするものである。
【０００８】
【発明の実施の形態】
以下、図面を用いて本発明の実施形態を説明する。
【０００９】
図１は本発明の一実施形態の構成を示した斜視図である。図１においては、１は、横木部１１の両端に支柱部１２，１３の一端を接続パイプ１４，１５を用いて固定して構成される略「コ」の字形の外枠である。
【００１０】
２は、外枠１の横木部１１よりも短い寸法の横木部２１の両端に支柱部２２，２３の一端を接続パイプ２４，２５を用いて固定して構成される略「コ」の字形の内枠である。
【００１１】
３，４は支柱部材であり、支柱部材３，４の一端の外側と外枠１の端部の内側との間には継手部５，６が介装され、他端の内側と内枠２の端部の外側との間には継手部７，８が介装されている。
【００１２】
ここで、継手部の構造を継手部７を例にとって説明する。図２（ａ）は継手部７の拡大図であり、図２（ｂ）はその断面図である。
【００１３】
図２（ｂ）に示したように、継手部７は２つの接続パイプ７１，７２と１つの内接パイプ７３によって構成されている。内接パイプ７３は接続パイプ７１，７１のいずれか一方の接続パイプに固定されており、他方の接続パイプは内接パイプ７３に接した状態で回動可能となっている。このように回動可能な状態の接続パイプの内壁と内接パイプ７３の外周壁との間には摩擦力が生じるために、外力を加えなければ接続パイプは回動しない。
【００１４】
また、図２（ａ）に示すように、２つの接続パイプのうちの一方の接続パイプ７２の表面には基準位置を示す表示７４が設けられており、他方の接続パイプ７１の表面には回動位置に対応した外枠１の横木部１１の地上高（ハードルの高さ）を示す表示７５が設けられている。
【００１５】
本実施形態においては、図１に示す４つの継手部５，６，７，８の全てに基準位置を示す表示と横木部１１の地上高を示す表示がなされている。
【００１６】
次に以上のように構成された本実施形態の動作について説明する。
【００１７】
先ず、本実施形態は収納状態において図１に示したように平面的にすることができるので、従来のハードルに比して収納スペースを著しく節約することができる。
【００１８】
次に本実施形態を使用する場合、先ず、図３に示したように内枠２を地上に載置した状態で外枠１の支柱部１２，１３が垂直方向になるように継手部５，６を回動させる。このとき、使用者は継手部５，６の基準位置の表示に「Ａｃｍ」という表示を合わせるだけで、外枠１の支柱部１２，１３を垂直方向にすることができると同時にハードルの高さをＡｃｍに設定することができる。
【００１９】
ここで、ハードルの高さを高くする場合には、所望の高さを選んで、４つの継手部５〜８のその高さの表示が基準位置の表示に合うように継手部５〜８を回動させればよい（図４，図５参照）。
【００２０】
このように使用者は、継手部に設けられている所望の高さの表示が基準位置の表示に合うように継手部を回動させるだけで極めて容易にハードルの高さを設定することができる。
【００２１】
なお、本実施形態においては、ハードルの高さをＡｃｍ，Ｂｃｍ，Ｃｃｍから選択できるように構成されているが、この高さは３つに限定されるものではなく、いくつであってもよい。さらにこの表示７５は数字を用いて行う必要はなく色彩を用いて行なってもよい。たとえば、黒色は１０６ｃｍ，赤色は８３ｃｍというようにハードルの高さを表示の色彩に対応させるようにしてもよい。
【００２２】
また、以上説明した実施形態においては、内枠２を地上に載置したときの外枠１の横木部１１の高さが継手部５〜８に表示されるように構成されているが、外枠１を地上に載置したときの内枠２の横木部２１の高さが継手部５〜８に表示されるように構成してもよい。
【００２３】
【発明の効果】
以上説明したように本発明によれば、収納スペースを従来に比して狭くすることができるとともに、使用時においては極めて容易にハードルの高さを設定することができる。
【図面の簡単な説明】
【図１】本発明の一実施形態の構成を示す斜視図である。
【図２】（ａ）は継手部の構成を示す平面図であり、（ｂ）はその断面図である。
【図３】図１に示した実施形態の動作の説明図である。
【図４】図１に示した実施形態の動作の説明図である。
【図５】図１に示した実施形態の動作の説明図である。
【符号の説明】
１  外枠
２  内枠
３，４  支柱部材
５〜８  継手部
１１，２１  横木部
１２，１３，２２，２３  支柱部
１４，１５，２４，２５，７１，７２  接続パイプ
７３  内接パイプ
７４，７５  表示
【図１】
0004038630.tif 000002
【図２】
0004038630.tif 000003
【図３】
0004038630.tif 000004
【図４】
0004038630.tif 000005
【図５】
0004038630.tif 000006